【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
搬送手段で搬送される記録媒体に対して、記録手段で情報を記録し単票として発行する記録装置であって、
前記記録媒体を収容するカバー付きの収容部と、
前記カバーの開閉状態を検出するカバー開閉検出手段と、
前記収容部に収容される前記記録媒体の残量が所定の量以下になったことを検出するニアーエンド検出手段と、
前記記録媒体の搬送経路上に設けられ、前記記録媒体上に搬送方向に沿って所定間隔で設けられている位置検出用マークを検出するマーク検出手段と、
前記記録媒体を所定の位置に合わせる位置合わせ手段と、
前記搬送経路上に設けられ、前記記録媒体をカットするカット手段と、を備え、
前記カバー開閉検出手段及び前記ニアーエンド検出手段の検出状態に基づいて、前記マーク検出手段の検出結果を用いて、前記位置合わせ手段による前記記録媒体の位置合わせと前記カット手段による前記記録媒体のカットの両方、または、一方を実施することを特徴とする記録装置。
【請求項２】
前記カバーが閉状態のとき前記記録媒体を挟持し、前記カバーが開状態のとき前記記録媒体を開放するもので、一方が前記カバー側に設けられ、他方が本体側に設けられた挟持手段を有することを特徴とする請求項１に記載の記録装置。
【請求項３】
前記挟持手段は、サーマルヘッドとプラテンで構成されることを特徴とする請求項２に記載の記録装置。
【請求項４】
前記カバー開閉検出手段が前記カバーの開閉を検知し、かつ、前記ニアーエンド検出手段が前記記録媒体のニアーエンド状態を検出し、その後、非ニアーエンド状態を検出したときは、
前記記録媒体は交換されたと判断して、前記マーク検出手段の検出結果を用いて、前記位置合わせ手段による前記記録媒体の位置合わせ、及び、前記カット手段による前記記録媒体のカット、を実施することを特徴とする請求項１乃至３のいずれか一項に記載の記録装置。
【請求項５】
前記カバー開閉検出手段が前記カバーの開閉を検知したが、前記ニアーエンド検出手段が前記記録媒体のニアーエンド状態を検出しないときは、
前記記録媒体は交換されてないと判断して、
前記マーク検出手段の検出結果を用いて、前記位置合わせ手段による前記記録媒体の位置合わせを実施し、前記カット手段による前記記録媒体のカットを実施しないことを特徴とする請求項１乃至３のいずれか一項に記載の記録装置。
【請求項６】
搬送手段で搬送される記録媒体に対して、記録手段で情報を記録し単票として発行する記録装置の制御方法であって、
前記記録装置は、前記記録媒体を収容するカバー付きの収容部と、前記カバーの開閉状態を検出するカバー開閉検出手段と、前記収容部に収容される前記記録媒体の残量が所定の量以下になったことを検出するニアーエンド検出手段と、前記記録媒体の搬送経路上に設けられ、前記記録媒体上に搬送方向に沿って所定間隔で設けられている位置検出用マークを検出するマーク検出手段と、前記記録媒体を所定の位置に合わせる位置合わせ手段と、前記搬送経路上に設けられ、前記記録媒体をカットするカット手段と、を備え、
前記カバー開閉検出手段及び前記ニアーエンド検出手段の検出状態 
に基づいて、前記マーク検出手段の検出結果を用いて、前記位置合わせ手段による前記記録媒体の位置合わせと前記カット手段による前記記録媒体のカットの両方、または、一方を実施することを特徴とする記録装置の制御方法。
【請求項７】
記録媒体を搬送する搬送手段と、前記記録媒体に情報を記録する記録手段と、前記記録媒体を収容するカバー付きの収容部と、前記カバーの開閉状態を検出するカバー開閉検出手段と、前記収容部に収容される前記記録媒体の残量が所定の量以下になったことを検出するニアーエンド検出手段と、前記記録媒体の搬送経路上に設けられ、前記記録媒体上に搬送方向に沿って所定間隔で設けられている位置検出用マークを検出するマーク検出手段と、前記記録媒体を所定の位置に合わせる位置合わせ手段と、前記搬送経路上に設けられ、前記記録媒体をカットするカット手段と、を備えた記録装置を制御する制御部が実行可能なプログラムであって、
前記カバー開閉検出手段及び前記ニアーエンド検出手段の検出状態に基づいて、前記マーク検出手段の検出結果を用いて、前記位置合わせ手段による前記記録媒体の位置合わせと前記カット手段による前記記録媒体のカットの両方、または、一方を実施することを特徴とする制御部が実行可能なプログラム。
【手続補正２】
【補正対象書類名】明細書
【補正対象項目名】０００８
【補正方法】変更
【補正の内容】
【０００８】
（適用例１）搬送手段で搬送される記録媒体に対して、記録手段で情報を記録し単票として発行する記録装置であって、前記記録媒体を収容するカバー付きの収容部と、前記カバーの開閉状態を検出するカバー開閉検出手段と、前記収容部に収容される前記記録媒体の残量が所定の量以下になったことを検出するニアーエンド検出手段と、前記記録媒体の搬送経路上に設けられ、前記記録媒体上に搬送方向に沿って所定間隔で設けられている位置検出用マークを検出するマーク検出手段と、前記記録媒体を所定の位置に合わせる位置合わせ手段と、前記搬送経路上に設けられ、前記記録媒体をカットするカット手段と、を備え、前記カバー開閉検出手段及び前記ニアーエンド検出手段の検出状態に基づいて、前記マーク検出手段の検出結果を用いて、前記位置合わせ手段による前記記録媒体の位置合わせと前記カット手段による前記記録媒体のカットの両方、または、一方を実施することを特徴とする記録装置。
【手続補正３】
【補正対象書類名】明細書
【補正対象項目名】００１０
【補正方法】変更
【補正の内容】
【００１０】
（適用例２）前記カバーが閉状態のとき前記記録媒体を挟持し、前記カバーが開状態のとき前記記録媒体を開放するもので、一方が前記カバー側に設けられ、他方が本体側に設けられた挟持手段を有することを特徴とする請求項１に記載の記録装置。
【手続補正４】
【補正対象書類名】明細書
【補正対象項目名】００１７
【補正方法】変更
【補正の内容】
【００１７】
（適用例６）搬送手段で搬送される記録媒体に対して、記録手段で情報を記録し単票として発行する記録装置の制御方法であって、前記記録装置は、前記記録媒体を収容するカバー付きの収容部と、前記カバーの開閉状態を検出するカバー開閉検出手段と、前記収容部に収容される前記記録媒体の残量が所定の量以下になったことを検出するニアーエンド検出手段と、前記記録媒体の搬送経路上に設けられ、前記記録媒体上に搬送方向に沿って所定間隔で設けられている位置検出用マークを検出するマーク検出手段と、前記記録媒体を所定の位置に合わせる位置合わせ手段と、前記搬送経路上に設けられ、前記記録媒体をカットするカット手段と、を備え、前記カバー開閉検出手段及び前記ニアーエンド検出手段の検出状態に基づいて、前記マーク検出手段の検出結果を用いて、前記位置合わせ手段による前記記録媒体の位置合わせと前記カット手段による前記記録媒体のカットの両方、または、一方を実施することを特徴とする記録装置の制御方法。
【手続補正５】
【補正対象書類名】明細書
【補正対象項目名】００１９
【補正方法】変更
【補正の内容】
【００１９】
（適用例７）記録媒体を搬送する搬送手段と、前記記録媒体に情報を記録する記録手段と、前記記録媒体を収容するカバー付きの収容部と、前記カバーの開閉状態を検出するカバー開閉検出手段と、前記収容部に収容される前記記録媒体の残量が所定の量以下になったことを検出するニアーエンド検出手段と、前記記録媒体の搬送経路上に設けられ、前記記録媒体上に搬送方向に沿って所定間隔で設けられている位置検出用マークを検出するマーク検出手段と、前記記録媒体を所定の位置に合わせる位置合わせ手段と、前記搬送経路上に設けられ、前記記録媒体をカットするカット手段と、を備えた記録装置を制御する制御部が実行可能なプログラムであって、前記カバー開閉検出手段及び前記ニアーエンド検出手段の検出状態に基づいて、前記マーク検出手段の検出結果を用いて、前記位置合わせ手段による前記記録媒体の位置合わせと前記カット手段による前記記録媒体のカットの両方、または、一方を実施することを特徴とする制御部が実行可能なプログラム。
【手続補正６】
【補正対象書類名】明細書
【補正対象項目名】００５４
【補正方法】変更
【補正の内容】
【００５４】
処理位置制御部４３（処理位置制御手段）は、距離検出部４２が算出したブラックマークＢＭ間距離と、予め記憶部４６に記憶されているブラックマークＢＭ間距離の基準値とをもとにずれ量を算出する。処理位置制御部４３は、算出したずれ量と、記憶部４６に記憶されているしきい値とを比較し、ずれ量がしきい値を超えているか否か、即ち設定された範囲から逸脱しているか否かを判定する。ずれ量が設定範囲内でない場合、処理位置制御部４３は、直前にＢＭセンサー６４が検出したブラックマークＢＭの位置を基準として、それより上流側の被カット位置ＣＬを決定する。また、ずれ量が設定範囲内である場合、処理位置制御部４３は、直前にＢＭセンサー６４が検出したブラックマークＢＭの位置を基準として、それより先頭側の被カット位置ＣＬを決定する。